(57)【要約】      （修正有）【課題】表示装置の設置及びＬＥＤ表示器の取り付けと交換を騒音を出すことなく容易に行えるプラットホーム用タイルを提供する。【解決手段】プラットホーム用タイル１１には、着脱枠体３が埋設されている。着脱枠体３は、プラットホーム用タイル１１の上面に臨ませた収容口からＬＥＤ表示器２を収容する枠本体３１と、ＬＥＤ表示器２を載置されて固定される仕切枠３２と、仕切枠３２の仕切板３２１に形成された電線導入口３２ａとを備えている。枠本体３１は、プラットホーム用タイル１１の縦骨組材１４ａに載置されてプラットホーム用タイル１１に埋設される。仕切枠３２は、枠本体３１内を上下に仕切る仕切板３２１を備えており、枠本体３１に収容されて固定される。電線導入口３２ａは、ＬＥＤ表示器２から引き出されたケーブル２３を、仕切板３２１の下側に導くためのものである。【選択図】図３
2010254046.tif 000002
【特許請求の範囲】
【請求項１】
駅のプラットホームに据え付けるタイルであって、
経時性硬化材料と、
該経時性硬化材料に埋設された骨組材と、
前記経時性硬化材料に固定されて埋設体を収容する埋設体着脱枠体とを備え、
該埋設体着脱枠体は、
前記経時性硬化材料に外側面を接する枠本体と、
該枠本体の外側面に設けられた位置決め片と、
前記枠本体の内部を仕切る仕切枠と、
を備えたことを特徴とするプラットホーム用タイル
【請求項２】
前記仕切枠には、前記埋設体から引き出された電線を導く電線導入口が設けられていることを特徴とする請求項１に記載のプラットホーム用タイル。
【請求項３】
前記位置決め片には、前記骨組材の外寸より僅かに大きな切欠部が設けられていることを特徴とする請求項１又は２に記載のプラットホーム用タイル。
【請求項４】
前記位置決め片の下端部は、側方に向けて屈曲されていることを特徴とする請求項１〜２の何れかに記載のプラットホーム用タイル。
【請求項５】
前記位置決め片は、前記切欠部を備える先端側を、側方に向けて３０度〜６０度の何れかの角度に屈曲させていることを特徴とする請求項４に記載のプラットホーム用タイル。
【請求項６】
前記枠本体に支持されて表面に配置される滑止部材を備えたことを特徴とする請求項１〜５の何れかに記載のプラットホーム用タイル。
【請求項７】
前記埋設体は、光源としてＬＥＤ発光体を備えたＬＥＤ表示器であることを特徴とする請求項１〜６の何れかに記載のプラットホーム用タイル。
【請求項８】
前記埋設体は、音声で案内するスピーカーを備えた出音装置であることを特徴とする請求項１〜６の何れかに記載のプラットホーム用タイル。
【発明の詳細な説明】
【技術分野】
【０００１】
本発明は、駅のプラットホームに据え付けるタイルに関するものであり、例えば、タイルに取り付ける表示器取付用シャーシとタイルとが一体化されているタイルに関するものである。
【背景技術】
【０００２】
従来の技術としては、例えば特許文献１に示すようなものがある。すなわち、特許文献１には、列車接近表示灯等を駅のプラットホームの床面から突出しないよう設置し、保守や交換の際にプラットホームの床面を掘り返す必要がなく、作業を容易にすることができ、工事も簡単にしたホーム設備の取付構造について開示されている。
【先行技術文献】
【特許文献】
【０００３】
【特許文献１】特開２００７−１６９９３７号公報
【発明の概要】
【発明が解決しようとする課題】
【０００４】
この種の埋設タイプの表示装置では、既設のプラットホームに新規に表示装置を据え付ける場合には、プラットホームを掘り起こしてＬＥＤ表示器を取り付けるシャーシ本体を埋設してＬＥＤ表示器の取り付けと接続配線などを行っている。これらの設置作業は、列車の終電から始発までの限られた時間内に作業を終わらせる必要があった。また、ＬＥＤ表示器を取り付けるシャーシ本体を埋設するためにプラットホームのタイルを掘り起こして、タイルにおけるシャーシ本体の取付部分を加工しているので、住宅街では騒音となり、工事の妨げとなっている。また、これらの工事は数日間を要するので、近隣からの苦情の元になっている。
【０００５】
本発明は斯かる課題に鑑みてなされたもので、上記課題を解決し、表示装置の設置及びＬＥＤ表示器の取り付けと交換を騒音を出すことなく容易に行えるプラットホーム用タイルを提供することを目的とする。
【課題を解決するための手段】
【０００６】
このような課題を解決するために、本発明のプラットホーム用タイルは、駅のプラットホームに据え付けるタイルであって、経時性硬化材料と、該経時性硬化材料に埋設された骨組材と、前記経時性硬化材料に固定されて埋設体を収容する埋設体着脱枠体とを備え、該埋設体着脱枠体は、前記経時性硬化材料に外側面を接する枠本体と、該枠本体の外側面に設けられた位置決め片と、前記枠本体の内部を仕切る仕切枠と、を備えたことを特徴とする。
また、本発明は、前記仕切枠には、前記埋設体から引き出された電線を導く電線導入口が設けられていることを特徴とする。
また、本発明は、前記位置決め片には、前記骨組材の外寸より僅かに大きな切欠部が設けられていることを特徴とする。
また、本発明は、前記位置決め片の下端部は、側方に向けて屈曲されていることを特徴とする。
また、本発明は、前記位置決め片は、前記切欠部を備える先端側を、側方に向けて３０度〜６０度の何れかの角度に屈曲させていることを特徴とする。
また、本発明は、前記枠本体に支持されて表面に配置される滑止部材を備えたことを特徴とする。
また、本発明は、前記埋設体は、光源としてＬＥＤ発光体を備えたＬＥＤ表示器であることを特徴とする。
また、本発明は、前記埋設体は、音声で案内するスピーカーを備えた出音装置であることを特徴とする。
【発明の効果】
【０００７】
本発明によれば、プラットホームの躯体にタイルを据え付けるという簡単な作業で、埋設体の設置及び交換ができる。
【図面の簡単な説明】
【０００８】
【図１】本発明の一実施形態のプラットホームを部分的に示す図であり、（ａ）は平面図，（ｂ）は正面図である。
【図２】本発明の一実施形態の駅のプラットホームに据え付けるタイルの内部構造及びＬＥＤ表示器と着脱枠体の取付構造を示す斜視図である。
【図３】本発明の一実施形態の駅のプラットホームに据え付けるタイルの内部構造及びＬＥＤ表示器と着脱枠体の取付構造を示す分解斜視図である。
【図４】着脱枠体に対するＬＥＤ表示器の取付構造を示す断面図である。
【図５】プラットホーム用タイルが備える着脱枠体からＬＥＤ表示器を取り外す状態を示す図である。
【図６】本発明の一実施形態のプラットホーム用タイルを示す図であり、（ａ）は平面図，（ｂ）は右側から見た断面図，（ｃ）は着脱枠体の取付構造を示す左右方向での断面図である。
【図７】本発明の一実施形態の駅のプラットホームに据え付けるタイルの内部構造及びＬＥＤ表示器と着脱枠体の取付構造の他の例を示す斜視図である。
【図８】本発明の一実施形態の駅のプラットホームに据え付けるタイルの内部構造及びＬＥＤ表示器と着脱枠体の取付構造の他の例を示す分解斜視図である。
【発明を実施するための形態】
【０００９】
以下、図面を参照して、本発明の最良の形態を説明する。図１は、本実施形態のプラットホーム１を部分的に示す図であり、（ａ）は平面図，（ｂ）は正面図である。図２は、プラットホームに据え付けるタイルの内部構造及びＬＥＤ表示器と着脱枠体の取付構造を示す斜視図である。図３は、プラットホームに据え付けるタイルの内部構造及びＬＥＤ表示器と着脱枠体の取付構造を示す分解斜視図である。図４は、着脱枠体３に対するＬＥＤ表示器２の取付構造を示す断面図である。図５は、プラットホーム用タイル１１が備える着脱枠体３からＬＥＤ表示器２を取り外す状態を示す図である。図６は、プラットホーム用タイル１１を示す図であり、（ａ）は平面図，（ｂ）は右側から見た断面図，（ｃ）は着脱枠体の取付構造を示す左右方向での断面図である。
【００１０】
図１に示すように、プラットホーム１は、躯体が備える床版１０の前縁部の上面にコンクリート製の複数のタイルを左右方向に並べて構成されている。タイルには、プラットホーム用タイル１１，電線引出タイル１２，及び電線挿通タイル１３の３種類がある。プラットホーム用タイル１１は、発光表示用のＬＥＤ表示器２を備えている。電線引出タイル１２は、ＬＥＤ表示器２への電源供給用の配線（外線ケーブル）を引き出す電線引出孔１２ａを備えている。電線挿通タイル１３は、ＬＥＤ表示器２への電源供給用の配線（結線ケーブル）を挿通される電線挿通孔１３ａを備えている。プラットホーム用タイル１１，電線引出タイル１２，及び電線挿通タイル１３は、略矩形の平板状を呈しており、滑り止め用の複数のゴム板ｇ（滑止部材）が、前後方向に所定間隔で上面に配置されている。
【００１１】
図２，図３に示すように、プラットホーム用タイル１１に埋設するＬＥＤ表示器２の断面略Ｕ字状の枠体２１には、光源としてＬＥＤ発光体を備えたＬＥＤ発光部が、左右方向に所定間隔で複数配置されており、樹脂２２に埋設されている。枠体２１の底板の左右の端部からは、ＬＥＤ表示器２の電源供給用のケーブル２３が延びている。ケーブル２３の先端には、コネクタ２３ａが備えられている。樹脂２２の上面には、ＬＥＤ発光部の備える光透過部２ａが臨んでおり、樹脂２２の上面とその上面を面一にしている。樹脂２２の上面には、着脱枠体３にＬＥＤ表示器２をネジ止めするネジ２６（図４参照）を覆う装飾用の蓋体２ｂが備えられている。また、枠体２１の前後の側面には、略矩形の平板状を呈したスポンジ２４が、それぞれ貼り付けられている。
【００１２】
図４に示すように、枠体２１には、雌ネジ孔２５ａを備えたネジ座２５が樹脂２２で固定されている。雌ネジ孔２５ａは、ＬＥＤ表示器２を着脱枠体３にネジ止めするネジ２６が螺着される。
【００１３】
着脱枠体３は、プラットホーム用タイル１１に固定される枠本体３１と、ＬＥＤ表示器２の取り付けられる仕切枠３２と、枠本体３１の位置決め用の位置決め片３３とを備えている。枠本体３１は、断面略Ｕ字状を呈して左右方向に延びており、上方に延びた前板及び後板には、それぞれ複数（図では７個）のネジ孔３１ａが設けられている。枠本体３１の底板の左右の縁部には、一対の雌ネジ部材３１ｃがそれぞれ設けられている。枠本体３１の上端開口部は、ＬＥＤ表示器２の収容口となっている。ネジ孔３１ａは、ゴム板ｇを枠本体３１に支持する支持棒３４を枠本体３１にネジ止めするためのものであり、枠本体３１の前板又は後板の上縁部を貫通している。ゴム板ｇは、略四角棒状を呈して左右に延びており、支持棒３４の挿通孔ｇ１が左右方向に等間隔で配置されている。各挿通孔ｇ１は、ゴム板ｇを前後方向に貫通している。支持棒３４は、ネジ孔３１ａにネジ止めされて枠本体３１に固定され、前方又は後方を向いた先端側からゴム板ｇの挿通孔ｇ１に挿通されて、ゴム板ｇを枠本体３１に支持する。ゴム板ｇを支持した支持棒３４は、挿通孔ｇ１から前方又は後方に向けて先端部を突出させている。
【００１４】
仕切枠３２は、断面略Ｕ字状を呈して左右方向に延びており、前板及び後板を枠本体３１の底板側に向けて枠本体３１内に配置されている。仕切枠３２の仕切板３２１と枠本体３１の底板との間には、略矩形の断面形状を有して仕切枠３２の左端から右端にかけて延びるケーブル収容室３Ａが形成されている。仕切枠３２の仕切板３２１の左右の端部には、ＬＥＤ表示器２のケーブル２３をケーブル収容室３Ａ内に導くための電線導入口３２ａが設けられている。各電線導入口３２ａは、仕切板３２１の左縁部又は右縁部から左右の中央部側にかけて、仕切板３２１を略矩形に切り欠いた形状を呈している。
【００１５】
仕切枠３２の仕切板３２１の左右方向の中央部には、略矩形の開口形状を有した一対の挿通口３２ｂが形成されている。一対の電線導入口３２ａ間に位置する仕切枠３２の仕切板３２１の下面には、略矩形の平板状を呈した取付板３５が配置される。取付板３５の前縁部及び後縁部には、複数の突片が設けられている。図示しないが、取付板３５は、仕切枠３２の前板及び後板に所定間隔で形成された貫通孔に各突片を挿入することで仕切枠３２に支持されている。
【００１６】
取付板３５の左右の端部にはそれぞれ貫通孔（不図示）が形成されている。また、図４に示すように、取付板３５の左右の端部には、ネジ止部材３６が設けられている。ネジ止部材３６は、取付板３５の左右の縁部を挟持して取付板３５に固定される本体３７と、本体３７が備える一対の挿通片３７１に一対の突片３８１をそれぞれ挿通されて、本体３７に対して移動自在に支持されたネジ止部３８とを備えており、ネジ止め部３８を取付板３５の下面側に位置させている。ネジ止部３８は、ＬＥＤ表示器２がネジ座２５に備える雌ネジ孔２５ａよりも小さな径の雌ネジ孔３８２を備えており、取付板３５の貫通孔を通して雌ネジ孔を仕切板３２１の上方に臨ませている。仕切枠３２は、枠本体３１及び仕切枠３２の前板及び後板がそれぞれ備える貫通孔に挿通された締結部材３１ｂで、枠本体３１に取り付けられている。
【００１７】
ＬＥＤ表示器２は、ネジ座２５の雌ネジ孔２５ａとネジ止部３８の雌ネジ孔３８２とが連通するように仕切枠３２の仕切板３２１に載置され、雌ネジ孔２５ａを通してネジ止部３８の雌ネジ孔３８２にネジ２６の雄ネジ部を螺着することで着脱枠体３に取り付けられる。ネジ２６の頭部には、上述した蓋体２ｂが嵌め合わされて取り付けられる。また、ＬＥＤ表示器２は、ネジ止部３８の雌ネジ孔３８２に螺着されたネジ２６を取り外した後、図５に示すように、ネジ２６よりも大きな径の雄ネジ部を備えた分解工具ＢＫを、ネジ座２５の雌ネジ孔２５ａに矢印Ａで示すようにねじ込み、続いて矢印Ｂに示すように持ち上げることで、着脱枠体３から取り外される。
【００１８】
位置決め片３３は、略矩形の平板の一縁部を屈曲させた概略形状を有しており、枠本体３１の前板及び後板の外面に、仕切枠３２と共に締結部材３１ｂで取り付けられている。枠本体３１に取り付けられた位置決め片３３は、下縁部を枠本体３１の外方に延出させ、かつ、枠本体３１の底板よりも下方に位置させている。位置決め片３３の屈曲した下縁部には複数の切欠部３３ａが備えられている。切欠部３３ａは、プラットホーム用タイル１１の縦骨組材１４ａに着脱枠体３を位置決めするためのものであり、位置決め片３３を略矩形に切り欠いた形状を有し、プラットホーム用タイル１１の備える縦骨組材１４ａの配置間隔と同じ間隔で配置されている。位置決め片３３の屈曲角は、縦骨組材１４ａと切欠部３３ａとの係合、及び浮上防止の見地から、３０度〜６０度の何れかの角度にすることが望ましい。プラットホーム用タイル１１は、左右方向に延びる横骨組材１４ｂと、横骨組材１４ｂよりも大きな外径を有して前後方向に延びる縦骨組材１４ａとを骨組材として備えており、切欠部３３ａは前後に延びる縦骨組材１４ａに上側から嵌め合わされて着脱枠体３を位置決めする。縦骨組材１４ａは、略矩形の断面形状を有している。縦骨組材１４ａ及び横骨組材１４ｂは、溶接されて互いに接続された後に、外面に溶融亜鉛メッキが施されている。着脱枠体３の配置される左右方向と直交する前後方向に沿わせて縦骨組材１４ａを配置することで、プラットホーム用タイル１１の曲げ強さを高めることができる。
【００１９】
各着脱枠体３は、隣りのプラットホーム用タイル１１が備える着脱枠体３とフルカプラ４Ａで接続される。フルカプラ４Ａは、断面略Ｕ字状を呈して左右方向に延びた本体枠４１と、本体枠４１の前板と後板との間に架け渡されたキャップ４２とを備えている。キャップ４２は、本体枠４１の左右方向の中央部に位置しており、本体枠４１の前板及び後板の外面に溶接等して取り付けられる。本体枠４１の底板の四隅には、それぞれ貫通孔４１ａが設けられている。
【００２０】
プラットホーム用タイル１１が電線引出タイル１２又は電線挿通タイル１３と隣接する場合、電線引出タイル１２又は電線挿通タイル１３と隣り合う着脱枠体３の端部には、ハーフカプラ４Ｂが取り付けられる。ハーフカプラ４Ｂは、図２，３に示すフルカプラ４Ａの本体枠４１をキャップ４２を境とした左側又は右側を切断した概略形状を有している。図３では、キャップ４２の右側を切断した形状のハーフカプラ４Ｂのみが示されている。
【００２１】
着脱枠体３は、フルカプラ４Ａが備える本体枠４１の右端側を枠本体３１の左端部に、本体枠４１の左端側を枠本体３１の右端部にそれぞれ収容し、貫通孔４１ａを挿通したネジを枠本体３１の雌ネジ部３１ｃに螺着することで、左右の端部にフルカプラ４Ａを固定される。また、電線引出タイル１２又は電線挿通タイル１３に隣接する着脱枠体３は、ハーフカプラ４Ｂの本体枠４１を枠本体３１の右端部又は左端部にそれぞれ収容し、貫通孔４１ａを挿通したネジを枠本体３１の雌ネジ部３１ｃに螺着することで、電線引出タイル１２又は電線挿通タイル１３に隣接する右端部又は左端部にハーフカプラ４Ｂを固定される。
【００２２】
また、着脱枠体３は、仕切枠３２の仕切板３２１にＬＥＤ表示器２の枠体２１を載置され、ＬＥＤ表示器２を挿通したネジ２６を挿通口３２ｂを通してネジ止部材３６が備えるネジ止部３８の雌ネジ孔３８２に螺着することで、取付板３５にＬＥＤ表示器２を固定される。
【００２３】
次に、着脱枠体３を備えたプラットホーム用タイル１１の製造方法について説明する。
プラットホーム用タイル１１の製造に用いる型枠の底板には、底板の全面を覆うように樹脂製の板材が配置される。この板材には、ゴム板ｇを収容するための開口が設けられている。着脱枠体３は、底面を上方に向け、支持棒３４で枠本体３１に支持されたゴム板ｇを表面側から板材の開口部に嵌め合わせて、板材に載置される。また、残りのゴム板ｇも板材の開口部に嵌め合わされて載置される。その後、縦骨組材１４ａ及び横骨組材１４ｂを型枠内に配置して、位置決め片３３の切欠部３３ａに縦骨組材１４ａを嵌め合わせ、コンクリートが打設される。打設されたコンクリートが固まると型枠及び板材が取り除かれ、図６に示すように着脱枠体３と一体化されたプラットホーム用タイル１１が完成する。
【００２４】
本実施形態によれば、躯体が備える床版１０にプラットホーム用タイル１１を設置し、プラットホーム用タイル１１の着脱枠体３にＬＥＤ表示器２を装着することで、プラットホーム１にスレッドライン表示装置を構築することができる。従って、スレッドライン表示装置の設置作業を簡略化できる。
【００２５】
また、床版１０に設置されたタイルをプラットホーム用タイル１１に交換し、プラットホーム用タイル１１の着脱枠体３にＬＥＤ表示器２を装着するだけで、スレッドライン表示装置を構築できるので、騒音を生じることなく工事を行うことができる。
【００２６】
また、本実施形態によれば、収容口となる枠本体３１の上端開口部から収容したＬＥＤ表示器２を仕切枠３２の仕切板３２１に載置して固定し、プラットホーム用タイル１１の上面に臨ませたＬＥＤ表示器２で発光表示を行うことから、ＬＥＤ表示器２を仕切枠３２に付け替えるという簡単な作業で、ＬＥＤ表示器２を交換できる。しかも、ＬＥＤ表示器２から引き出されたケーブル２３を、電線導入口３２ａから枠本体３１の載置面側、つまり底板側に導いて枠本体３１と仕切枠３２の仕切板３２１との間に形成されたケーブル収容室３Ａに収容することで、このケーブル収容室３Ａをケーブル２３の配索路として用いることもできる。このため、ＬＥＤ表示器２を簡単な作業で取り付けられる。
【００２７】
また、本実施形態によれば、位置決め片３３の切欠部３３ａをプラットホーム用タイル１１の縦骨組材１４ａに嵌合させることで枠本体３１を位置決めでき、着脱枠体３のプラットホーム用タイル１１への埋設作業を簡略化できる。
【００２８】
また、本実施形態によれば、プラットホーム用タイル１１を床版１０に設置し、隣り合う着脱枠体３に収容される各ＬＥＤ表示器２のケーブル２３同士を接続した後に、ＬＥＤ表示器２を着脱枠体３に収容して固定することでプラットホーム１が構築されることから、プラットホーム１へのスレッドライン表示装置の構築を簡単な作業で行える。また、着脱枠体３からＬＥＤ表示器２を取り外し、新たなＬＥＤ表示器２のケーブル２３同士を接続した後に、そのＬＥＤ表示器２を着脱枠体３に取り付けることで、ＬＥＤ表示器２を交換できる。このため、ＬＥＤ表示器２の交換を簡単な作業で行える。
【００２９】
また、本実施形態によれば、ゴム板ｇを枠本体３１に支持する支持棒３４が先端を挿通孔ｇ１からゴム板ｇの外方に突出させており、支持棒３４が枠本体３１とコンクリートとで両端を支持されることから、ゴム板ｇを介して上方から荷重を加えられるのに伴う支持棒３４の変形を抑え、ゴム板ｇがプラットホーム用タイル１１の上方に突出したり、プラットホーム用タイル１１内に没入するのを防止できる。
【００３０】
また、ＬＥＤ発光部を備えた枠体２１に樹脂２２を充填してＬＥＤ表示器２が構成されていることから、ＬＥＤ表示器２をプラットホーム用タイル１１に直接埋設する場合には、ＬＥＤ表示器２やプラットホーム用タイル１１の温度変化等に伴う膨張や収縮により、ＬＥＤ表示器２とプラットホーム用タイル１１との取付箇所に損傷が生じる等する虞がある。しかしながら、本実施形態では、着脱枠体３を介してＬＥＤ表示器２をプラットホーム用タイル１１に取り付けることで、ＬＥＤ表示器２やプラットホーム用タイル１１の温度変化等に伴う膨張や収縮によるＬＥＤ表示器２の損傷を防止することができる。
【００３１】
なお、上記実施形態では、着脱枠体３が枠本体３１に支持棒３４でゴム板ｇを支持することで、両者が一体に構成されていたが、図７，図８に示す着脱枠体３のように、滑り止め用のゴム板ｇを取り付けないで用いることもできる。
【００３２】
図７，図８に示す着脱枠体３は、枠本体３１のネジ孔３１ａに螺着された支持棒３４に、ゴム板ｇが取り付けられていない点で、図２、図３に示す着脱枠体３と相違する。この着脱枠体３は、ゴム板ｇを設置しないプラットホーム用タイル１１や、プラットホーム用タイル１１におけるゴム板ｇの設置されない箇所にＬＥＤ表示器２を埋設するのに用いることができる。
【００３３】
また、上記実施形態では、ゴム板ｇが枠本体３１の前後の両側板に取り付けられている場合について説明した。しかしながら、ゴム板ｇは、枠本体３１の前板及び後板の両方ではなく、何れか一方のみに取り付けられていてもよい。この場合、ゴム板ｇの取り付けられていない側板には、支持棒３４を設けない構成としてもよい。また、枠本体３１の側板へのゴム板ｇの固定方法も任意である。また、ゴム板ｇを着脱枠体３に取り付けない場合には、枠本体３１が支持棒３４を備えない構成としてもよい。
【００３４】
上記実施形態では、プラットホーム用タイル１１の本体がコンクリートから形成されている場合について説明した。しかしながら、プラットホーム用タイル１１をタイル状に形成できるのであれば、本体の材質は任意であり、例えば、モルタル等の他の経時性硬化材料を用いることもできる。また、プラットホーム用タイル１１の製造方法も上記実施形態での方法には限定されず、例えば、着脱枠体３を埋設した粘土製の本体を焼き上げて製造してもよい。また、上記実施形態では、着脱枠体３に収容してプラットホーム用タイル１１に埋設する埋設体として、プラットホーム１のスレッドライン表示装置を構成するＬＥＤ表示器２を用いた場合について説明したが、着脱枠体３に着脱してプラットホーム用タイル１１に埋設する埋設体の種類は任意であり、例えば、音声出力を行うスピーカ等の出音装置を埋設体として用いることもできる。
【００３５】
上記実施形態では、枠本体３１に位置決め片３３が取り付けられている場合について説明したが、位置決め片３３は必ずしも備えられていなくてもよい。
【００３６】
また、上記実施形態では、プラットホーム用タイル１１が２つの着脱枠体３を前後に並べて備え、各着脱枠体３にＬＥＤ表示器２を設置することでプラットホーム１に２列のスレッドラインを備えたスレッドライン表示装置が形成される場合について説明した。しかしながら、スレッドライン表示装置が備えるスレッドラインの本数は２本には限定されず、１本でも３本以上でもよい。例えば、１本のスレッドラインをプラットホーム１に形成する場合には、スレッドライン同士を結線ケーブルで接続する必要がないことから、電線挿通タイル１３に代えて電線挿通孔１３ａを備えていないタイルを床版１０に設置することで、プラットホーム１が形成される。また、３本以上のスレッドラインをプラットホーム１に形成する場合には、電線引出タイル１２が電線引出孔１２ａだけでなく電線挿通孔も備える構成とし、外線ケーブルに接続されていないスレッドライン同士を電線引出タイル１２の電線挿通孔に挿通させた結線ケーブルで接続してもよい。
【符号の説明】
【００３７】
１      プラットホーム
１０    床版
１１    プラットホーム用タイル
１２    電線引出タイル
１３    電線挿通タイル
１２ａ  電線引出孔
１３ａ  電線挿通孔
１４ａ  縦骨組材
１４ｂ  横骨組材
２      ＬＥＤ表示器
２ａ    光透過部
２ｂ    蓋体
２１    枠体
２２    樹脂
２３    ケーブル
２３ａ  コネクタ
２４    スポンジ
２５    ネジ座
２５ａ  雌ネジ孔
２６    ネジ
３      着脱枠体
３Ａ    ケーブル収容室
３１    枠本体
３１ａ  ネジ孔
３１ｂ  締結部材
３１ｃ  雌ネジ部材
３２    仕切枠
３２１  仕切板
３２ａ  電線導入口
３２ｂ  挿通口
３２ｃ  ネジ止部
３３    位置決め片
３３ａ  切欠部
３４    支持棒
３５    取付板
３６    ネジ止部材
３７    本体
３７１  挿通片
３８    ネジ止部
３８１  突片
３８２  雌ネジ孔
４Ａ    フルカプラ
４Ｂ    ハーフカプラ
４１    本体枠
４１ａ  貫通孔
４２    キャップ
ｇ      ゴム板（滑止部材）
ｇ１    挿通孔
【図１】
2010254046.tif 000003
【図２】
2010254046.tif 000004
【図３】
2010254046.tif 000005
【図４】
2010254046.tif 000006
【図５】
2010254046.tif 000007
【図６】
2010254046.tif 000008
【図７】
2010254046.tif 000009
【図８】
2010254046.tif 000010